(57)【要約】【課題】  消色状態で記録を行うことによって判読を不可能にし、必要な時のみ発色させて判読することができる可逆性熱記録用インク、インクカートリッジ、及びインク記録物、並びに、これらを用いた画像記録方法及び画像記録装置の提供。【解決手段】  発色剤、分散剤、湿潤剤、及び溶媒を少なくとも含み、該分散剤がポリオキシエチレングリセリン脂肪酸エステル誘導体であり、かつ前記発色剤が顕色剤の存在下、温度に依存して色調が可逆的に変化することを特徴とする可逆性熱記録用インクである。顕色剤を付着させた記録媒体と組み合わせて用いられ、該記録媒体上に印字乃至印画後の加熱温度を変えることにより文字及び画像が発色乃至消色する態様が好ましい。【選択図】      なし【特許請求の範囲】
【請求項１】
発色剤、分散剤、湿潤剤、及び溶媒を少なくとも含み、該分散剤がポリオキシエチレングリセリン脂肪酸エステル誘導体であり、かつ前記発色剤が顕色剤の存在下、温度に依存して色調が可逆的に変化することを特徴とする可逆性熱記録用インク。
【請求項２】
顕色剤を付着させた記録媒体と組み合わせて用いられ、記録後の記録媒体の画像表面を加熱して印字乃至印画後の加熱温度を変えることにより文字及び画像が発色乃至消色する請求項１に記載の可逆性熱記録用インク。
【請求項３】
ポリオキシエチレングリセリン脂肪酸エステル誘導体が、下記構造式（１）から（１１）で表される少なくともいずれかである請求項１から２のいずれかに記載の可逆性熱記録用インク。
【化１】
2005263890.tif 000082
ただし、前記構造式（１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化２】
2005263890.tif 000083
ただし、前記構造式（２）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化３】
2005263890.tif 000084
ただし、前記構造式（３）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化４】
2005263890.tif 000085
ただし、前記構造式（４）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化５】
2005263890.tif 000086
ただし、前記構造式（５）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化６】
2005263890.tif 000087
ただし、前記構造式（６）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化７】
2005263890.tif 000088
ただし、前記構造式（７）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化８】
2005263890.tif 000089
ただし、前記構造式（８）中、ｋは１〜１８、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化９】
2005263890.tif 000090
ただし、前記構造式（９）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１０】
2005263890.tif 000091
ただし、前記構造式（１０）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１１】
2005263890.tif 000092
ただし、前記構造式（１１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【請求項４】
発色剤とポリオキシエチレングリセリン脂肪酸エステル誘導体との混合質量比（発色剤：ポリオキシエチレングリセリン脂肪酸エステル誘導体）が、１：０．０１〜１：１である請求項１から３のいずれかに記載の可逆性熱記録用インク。
【請求項５】
請求項１から４のいずれかに記載の可逆性熱記録用インクを容器中に収容してなることを特徴とするインクカートリッジ。
【請求項６】
顕色剤を付着させた記録媒体上に請求項１から４のいずれかに記載の可逆性熱記録用インクを用いて記録された印字画像を有することを特徴とするインク記録物。
【請求項７】
請求項１から４のいずれかに記載の可逆性熱記録用インクに刺激を印加し、該可逆性熱記録用インクを飛翔させて画像を形成するインク飛翔手段と、記録後の画像表面を加熱して画像を発色乃至は消色させる加熱手段とを有することを特徴とする画像記録装置。
【請求項８】
刺激が、温度、圧力、振動及び光から選択される少なくとも１種である請求項７に記載の画像記録装置。
【請求項９】
請求項１から４のいずれかに記載の可逆性熱記録用インクに刺激を印加し、該可逆性熱記録用インクを飛翔させて画像を形成するインク飛翔工程と、記録後の画像表面を加熱して画像を発色乃至は消色させる加熱工程とを含むことを特徴とする画像記録方法。
【請求項１０】
刺激が、温度、圧力、振動及び光から選択される少なくとも１種である請求項９に記載の画像記録方法。
【発明の詳細な説明】
【技術分野】
【０００１】
本発明は、消色状態で記録を行うことによって判読を不可能にし、必要な時のみ発色させて判読することができる可逆性熱記録用インク、インクカートリッジ、及びインク記録物、並びに、これらを用いた画像記録方法及び画像記録装置に関する。
【背景技術】
【０００２】
近年、情報化社会の発展と共に、複写機やプリンター、ファックス等の記録装置が製品化され、記録紙が情報を伝達したり、保管する媒体として用いられている。また、企業の文書管理の一つとして機密文書の作成・保管の必要性が増加している。前記記録装置で可視化された文書は機密性の点からはその保管・管理方法が十分なものではない。そこで、パソコンやワープロで作成した文書をそのまま保管するのではなく、消色状態で記録し、その文書の判読を不可能にし、必要な時のみに発色させて可視化できる機密保持機能を有する記録媒体の提供が望まれている。
現在、例えば、可逆性感熱記録体の感熱記録層中に、染料前駆体と、顕色剤として炭素原子数１１以上の長鎖アルキル基と、スルホニルウレア基とを有する芳香族化合物を含有させて画像の熱発色及び消色を可能にする可逆性感熱記録体が提案されている（特許文献１参照）。
しかし、前記特許文献１の可逆性感熱記録体は、情報の書き換えは可能であるが、消色状態で記録を行うことによって判読を不可能にし、必要な時のみに発色させて可視化する機密保持機能を有するものではなく、かかる機能を備えた記録媒体の提供が強く望まれているのが現状である。
【０００３】
【特許文献１】特開平９−２７２２６１号公報
【発明の開示】
【発明が解決しようとする課題】
【０００４】
本発明は、かかる現状に鑑みてなされたものであり、従来における前記諸問題を解決し、以下の目的を達成することを課題とする。即ち、本発明は、消色状態で記録を行うことによって判読を不可能にし、必要な時のみ発色させて判読できる機密保持機能を有する可逆性熱記録用インク、インクカートリッジ、及びインク記録物、並びに、これらを用いた画像記録方法及び画像記録装置を提供することを目的とする。
【課題を解決するための手段】
【０００５】
前記課題を解決するための手段としては、以下の通りである。即ち、
＜１＞  発色剤、分散剤、湿潤剤、及び溶媒を少なくとも含み、該分散剤がポリオキシエチレングリセリン脂肪酸エステル誘導体であり、かつ前記発色剤が顕色剤の存在下、温度に依存して色調が可逆的に変化することを特徴とする可逆性熱記録用インクである。
＜２＞  顕色剤を付着させた記録媒体と組み合わせて用いられ、記録後の記録媒体の画像表面を加熱して印字乃至印画後の加熱温度を変えることにより文字及び画像が発色乃至消色する前記＜１＞に記載の可逆性熱記録用インクである。
＜３＞  ポリオキシエチレングリセリン脂肪酸エステル誘導体が、下記構造式（１）から（１１）で表される少なくともいずれかである前記＜１＞から２のいずれかに記載の可逆性熱記録用インクである。
【化１２】
2005263890.tif 000002
ただし、前記構造式（１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１３】
2005263890.tif 000003
ただし、前記構造式（２）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１４】
2005263890.tif 000004
ただし、前記構造式（３）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１５】
2005263890.tif 000005
ただし、前記構造式（４）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１６】
2005263890.tif 000006
ただし、前記構造式（５）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１７】
2005263890.tif 000007
ただし、前記構造式（６）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１８】
2005263890.tif 000008
ただし、前記構造式（７）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化１９】
2005263890.tif 000009
ただし、前記構造式（８）中、ｋは１〜１８、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化２０】
2005263890.tif 000010
ただし、前記構造式（９）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化２１】
2005263890.tif 000011
ただし、前記構造式（１０）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【化２２】
2005263890.tif 000012
ただし、前記構造式（１１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
＜４＞  発色剤とポリオキシエチレングリセリン脂肪酸エステル誘導体との混合質量比（発色剤：ポリオキシエチレングリセリン脂肪酸エステル誘導体）が、１：０．０１〜１：１である前記＜１＞から＜３＞のいずれかに記載の可逆性熱記録用インクである。
＜５＞  前記＜１＞から＜４＞のいずれかに記載の可逆性熱記録用インクを容器中に収容してなることを特徴とするインクカートリッジである。
＜６＞  顕色剤を付着させた記録媒体上に前記＜１＞から＜４＞のいずれかに記載の可逆性熱記録用インクを用いて記録された印字画像を有することを特徴とするインク記録物である。
＜７＞  前記＜１＞から＜４＞のいずれかに記載の可逆性熱記録用インクに刺激を印加し、該可逆性熱記録用インクを飛翔させて画像を形成するインク飛翔手段と、記録後の画像表面を加熱して画像を発色乃至は消色させる加熱手段とを有することを特徴とする画像記録装置である。
＜８＞  刺激が、温度、圧力、振動及び光から選択される少なくとも１種である前記＜７＞に記載の画像記録装置である。
＜９＞  前記＜１＞から＜４＞のいずれかに記載の可逆性熱記録用インクに刺激を印加し、該可逆性熱記録用インクを飛翔させて画像を形成するインク飛翔工程と、記録後の画像表面を加熱して画像を発色乃至は消色させる加熱工程とを含むことを特徴とする画像記録方法である。
＜１０＞  刺激が、温度、圧力、振動及び光から選択される少なくとも１種である前記＜９＞に記載の画像記録方法である。
【０００６】
本発明の可逆性熱記録用インクは、発色剤、分散剤、湿潤剤、及び溶媒を含み、該分散剤がポリオキシエチレングリセリン脂肪酸エステル誘導体であり、前記発色剤が、顕色剤の存在下、温度に依存して色調が可逆的に変化する。その結果、可逆性感熱材料である発色剤を含有する可逆性熱記録用インクで顕色剤を付着させた記録紙へ印字印画し、加熱して発色と消色を行う画像記録方法によって、機密文書を一時的に消去することが可能である。
【０００７】
本発明のインクカートリッジは、本発明の前記可逆性熱記録用インクを容器中に収容してなる。該インクカートリッジは、インクジェット記録方式によるプリンター等に好適に使用される。該インクカートリッジに収容されたインクを用いて記録を行うと、長期間に亘る保存安定性が良好であり、吐出安定性、特に連続吐出中又は吐出休止後の吐出不良が改善され、滲みが少ない高画質が得られる。
【０００８】
本発明の画像記録装置は、本発明の前記可逆性熱記録用インクと、加熱手段とを少なくとも有する。該画像記録装置においては、前記インク飛翔手段が、本発明の前記可逆性熱記録用インクにエネルギーを印加し、該可逆性熱記録用インクを飛翔させて画像を形成する。前記加熱手段は、記録後の画像表面を加熱して画像を発色乃至は消色させる。その結果、長期間に亘って該可逆性熱記録用インクの保存安定性が良好に維持され、吐出安定性、特に連続吐出中又は吐出休止後の吐出不良が改善され、滲みが少ない高画質が得られる。
【０００９】
本発明の画像記録方法は、本発明の前記記録用インクにエネルギーを印加し、該記録用インクを飛翔させて画像を形成するインク飛翔工程と、加熱工程とを少なくとも含む。該画像記録方法においては、前記インク飛翔工程において、本発明の前記可逆性熱記録用インクにエネルギーを印加し、該可逆性熱記録用インクを飛翔させて画像が形成される。前記加熱手段は、記録後の画像表面を加熱して画像を発色乃至は消色させる。その結果、長期間に亘って該可逆性熱記録用インクの保存安定性が良好に維持され、吐出安定性、特に連続吐出中又は吐出休止後の吐出不良が改善され、滲みが少ない高画質が得られる。
【００１０】
本発明のインク記録物は、顕色剤を付着させた記録媒体上に本発明の前記可逆性熱記録用インクを用いて記録された印字画像を有してなる。該インク記録物においては、文書を一時的に消去し、必要な時に発色させることが可能であり、機密を重んじる文書の無色化が可能であり、文書あるいは画像の発信者と受信者のみが文書を再発色させて見ることが可能である。
【発明の効果】
【００１１】
本発明によると、従来における諸問題を解決でき、可逆性の発色剤を含有する可逆性熱記録用インクで顕色剤を塗布した記録媒体に印字し、加熱して発色と消色を行うインクジェット熱記録方法によって機密文書を一時的に消去し、必要な時に発色させることが可能であり、機密文書の作成・保管に有用である。
【発明を実施するための最良の形態】
【００１２】
（可逆性熱記録用インク）
本発明の可逆性熱記録用インクは、分散剤、発色剤、湿潤剤、及び溶媒を少なくとも含んでなり、更に必要に応じてその他の成分を含んでなる。
【００１３】
本発明の可逆性熱記録用インクは、以下の特性を有することが好ましい。（１）インクの発色濃度が十分であり、発色濃度を満たす発色剤（染料）や顕色剤をインク中に溶解乃至は分散できること。（２）印字後の加熱による発色速度と再加熱による消色速度が速いこと。（３）インク噴射の安定性であり、インクの噴射方向が曲がったりせず、常に噴射方向が一定していること、（４）発色剤（染料）がよく溶解し、よく分散する湿潤剤や溶媒を選択すること、である。
【００１４】
−分散剤−
前記分散剤としては、ポリオキシエチレングリセリン脂肪酸エステル誘導体が好適である。前記ポリオキシエチレングリセリン脂肪酸エステル誘導体としては、特に制限はなく、目的に応じて適宜選択することができ、例えば、下記構造式（１）から（１１）で表される少なくともいずれかが好適である。
【００１５】
【化２３】
2005263890.tif 000013
ただし、前記構造式（１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００１６】
【化２４】
2005263890.tif 000014
ただし、前記構造式（２）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００１７】
【化２５】
2005263890.tif 000015
ただし、前記構造式（３）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００１８】
【化２６】
2005263890.tif 000016
ただし、前記構造式（４）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００１９】
【化２７】
2005263890.tif 000017
ただし、前記構造式（５）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２０】
【化２８】
2005263890.tif 000018
ただし、前記構造式（６）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２１】
【化２９】
2005263890.tif 000019
ただし、前記構造式（７）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２２】
【化３０】
2005263890.tif 000020
ただし、前記構造式（８）中、ｋは１〜１８、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２３】
【化３１】
2005263890.tif 000021
ただし、前記構造式（９）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２４】
【化３２】
2005263890.tif 000022
ただし、前記構造式（１０）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２５】
【化３３】
2005263890.tif 000023
ただし、前記構造式（１１）中、ｍは５〜９、ｎは１〜１５である。Ｙは、水素原子、ＯＨ、ＮＨ２、ＳＯ３Ｎａ、ＣＯＯＮａ、ＣＯＯＫ、又はＯＣＨ３である。
【００２６】
前記分散剤であるポリオキシエチレングリセリン脂肪酸エステル誘導体としては、具体的には、下記構造式で表されるものが好適である。
【００２７】
【化３４】
2005263890.tif 000024
【化３５】
2005263890.tif 000025
【化３６】
2005263890.tif 000026
【化３７】
2005263890.tif 000027
【化３８】
2005263890.tif 000028
【化３９】
2005263890.tif 000029
【化４０】
2005263890.tif 000030
【化４１】
2005263890.tif 000031
【化４２】
2005263890.tif 000032
【化４３】
2005263890.tif 000033
【化４４】
2005263890.tif 000034
【００２８】
−発色剤−
従来より、インクジェット記録用インクとしては、種々の染料、例えば、直接染料、酸性染料、塩基性染料、反応性染料、分散染料等が用いられていたが、本発明の可逆性熱記録用インクでは、可逆性感熱材料である染料を発色剤として用いることが好ましい。なお、発色剤（染料）の選択によってはカラー印字画像の記録・消去も可能であり、具体的には、以下に示す構造式の化合物が好適に挙げられる。
【００２９】
【化４５】
2005263890.tif 000035
【００３０】
【化４６】
2005263890.tif 000036
【００３１】
【化４７】
2005263890.tif 000037
【００３２】
【化４８】
2005263890.tif 000038
【００３３】
【化４９】
2005263890.tif 000039
【００３４】
【化５０】
2005263890.tif 000040
【００３５】
【化５１】
2005263890.tif 000041
【００３６】
【化５２】
2005263890.tif 000042
【００３７】
【化５３】
2005263890.tif 000043
【００３８】
【化５４】
2005263890.tif 000044
【００３９】
【化５５】
2005263890.tif 000045
【００４０】
【化５６】
2005263890.tif 000046
【００４１】
【化５７】
2005263890.tif 000047
【００４２】
【化５８】
2005263890.tif 000048
【００４３】
前記発色剤とポリオキシエチレングリセリン脂肪酸エステル誘導体との混合質量比（発色剤：ポリオキシエチレングリセリン脂肪酸エステル誘導体）は、１：０．０１〜１：１が好ましく、１：０．１〜１：１がより好ましい。前記ポリオキシエチレングリセリン脂肪酸エステル誘導体の添加量が多すぎると、噴射方向の安定性が低下することがあり、少なすぎると、発色剤の溶解性が低下し、ノズルの目詰まりが生じることがある。
【００４４】
本発明の可逆性熱記録用インクは、顕色剤を付着させた記録媒体と組み合わせて用いられる。前記顕色剤としては、特に制限はなく、目的に応じて適宜選択することができ、例えば、下記構造式で表される化合物が好適である。
【００４５】
【化５９】
2005263890.tif 000049
【化６０】
2005263890.tif 000050
【化６１】
2005263890.tif 000051
【化６２】
2005263890.tif 000052
【化６３】
2005263890.tif 000053
【化６４】
2005263890.tif 000054
【化６５】
2005263890.tif 000055
【化６６】
2005263890.tif 000056
【化６７】
2005263890.tif 000057
【化６８】
2005263890.tif 000058
【００４６】
前記顕色剤の付着方法としては、特に制限はなく、通常の塗布、含浸、浸漬、噴霧などが挙げられ、これらの中でも、塗布が好ましい。前記塗布は、特に制限はなく、公知の塗布方法の中から目的に応じて適宜選択することができ、例えば、スピンコート法、ディップコート法、ニーダーコート法、カーテンコート法、ブレードコート法、等が挙げられる。
【００４７】
本発明の可逆性熱記録用インクは、画像記録装置（例えば、インクジェットプリンター）で印字印画された状態では当初、無色である。これらの文字や画像を発色・消色させる加熱手段としては加熱ローラーや赤外線ランプ、ホットプレート、温風器等が用いられ、インク中の染料の融点以上に加熱することが可能であり、加熱速度が極めて速いものが好ましい。
【００４８】
前記発色させる加熱温度は、インク中の発色剤（染料）や記録紙に塗布された顕色剤の融点以上の温度が必要であり、消色させる加熱温度は顕色剤によって決まる固有の温度である。
そして、インクジェットプリンターで印字印画後のインク中の発色剤（染料）は、記録紙上で融点以上に加熱された顕色剤と溶け合って発色する。そのまま室温まで冷えると、染料と顕色剤が結合して固まり、発色状態を維持する。
【００４９】
次に、この発色した文字あるいは画像を消色するには染料や顕色剤の融点より低温度に再度、加熱することによって分子が熱で運動し始め、顕色剤が結晶化して染料と分離し、消色状態になる。
この消色状態から染料と顕色剤の融点以上に加熱すると再度、発色し、さらに融点より低温度に再度、加熱することによって、発色と消色の繰り返しが可能になる。
したがって、本発明の可逆性熱記録用インクを用いれば、機密を重んじる文書の無色化が可能であり、文書あるいは画像の発信者と受信者のみが文書を再発色させて見ることが可能である。
【００５０】
前記湿潤剤としては、インクが印字ヘッドのノズルの部分で乾燥したときにも、インクの固化を防ぎ、吸湿性によりインクが常に水分を含んだ状態にするものであり、染料の溶解性や分散性を低下させないものであれば特に制限はなく、目的に応じて適宜選択することができ、例えば、多価アルコールアルキルエーテル類、多価アルコールアリールエーテル類、などが挙げられる。これらは、１種単独で使用してもよいし、２種以上を併用してもよい。なお、湿潤剤は発色剤の溶解剤を兼ね備えたものが好ましい。
【００５１】
前記多価アルコールアルキルエーテル類としては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル、などが挙げられる。
前記多価アルコールアリールエーテル類としては、例えば、エチレングリコールモノフェニルエーテル、エチレングリコールモノベンジルエーテル、などが挙げられる。
【００５２】
前記湿潤剤の前記可逆性熱記録用インクにおける含有量としては、特に制限はなく、目的に応じて適宜選択することができるが、５〜３０質量％が好ましく、１０〜３０質量％がより好ましい。
前記湿潤剤が前記可逆性熱記録用インクに含有されていると、該可逆性熱記録用インクの水分蒸発が抑制され、ノズルのインク吐出口での前記発色剤の析出、粘度上昇による吐出不良等を効果的に抑制することができ、吐出信頼性の高い前記可逆性熱記録用インクが得られ、前記含有量が、５質量％未満であると、使用による効果が乏しくなることがあり、３０質量％を超えると、水性インクの粘度が高くなってしまい、吐出安定性に影響を与えてしまうことがある。
【００５３】
前記溶媒としては、特に制限はなく、目的に応じて適宜選択することができ、例えば、多価アルコール類、含窒素複素環化合物、アミド類、アミン類、含硫黄化合物類、プロピレンカーボネート、炭酸エチレン、γ−ブチロラクトン、などが挙げられる。これらは、１種単独で使用してもよいし、２種以上を併用してもよい。該水溶性有機溶媒は、前記記録用インクにおける水分蒸発を抑制する観点からは、前記湿潤剤と共に水溶性有機溶媒を併用するのが好ましい。
【００５４】
前記多価アルコールとしては、例えば、エチレングリコール、ジエチレングリコール、トリエチレングリコール、ポリエチレングリコール、ポリプロピレングリコール、１，３ブタンジオール、１，５ペンタンジオール、１,６ヘキサンジオール、グリセロール、１,２,６−ヘキサントリオール、１,２,４−ブタントリオール、１,２,３−ブタントリオール、ペトリオール、などが挙げられる。
前記含窒素複素環化合物としては、例えば、Ｎ−メチル−２−ピロリドン、Ｎ−ヒドロキシエチル−２−ピロリドン、２−ピロリドン、１，３−ジメチルイミダゾリジノン、ε−カプロラクタム、などが挙げられる。
前記アミド類としては、例えば、ホルムアミド、Ｎ−メチルホルムアミド、ホルムアミド、Ｎ，Ｎ−ジメチルホルムアミド、などが挙げられる。
前記アミン類としては、例えば、モノエタノールアミン、ジエタノールアミン、トリエタノールアミン、モノエチルアミン、ジエチルアミン、トリエチルアミン、などが挙げられる。
前記含硫黄化合物類としては、例えば、ジメチルスルホキシド、スルホラン、チオジエタノール、などが挙げられる。
【００５５】
これらの中でも、エチレングリコール類は好適である。該エチレングリコール類は長期の保存に対しても、インクの固化を防ぎ、印字ヘッドが目詰まりすることがない。またインク物性を変化させたり、インクを変質させることがなく、安定したインク特性を有する可逆性熱記録用インクを提供することができる。該エチレングリコール類としては、例えば、エチレングリコール、ジエチレングリコール、トリエチレングリコール、テトラエチレングリコール、ポリエチレングリコール＃１００、ポリエチレングリコール＃２００、ポリエチレングリコール＃３００、ポリエチレングリコール＃４００、等が挙げられる。
【００５６】
前記その他の成分としては、特に制限はなく、目的に応じて適宜選択することができ、例えば、界面活性剤、ｐＨ調整剤、粘性調整剤、防黴剤、防腐剤、防錆剤、酸化防止剤、紫外線吸収剤、酸素吸収剤、光安定化剤、などが挙げられる。前記可逆性熱記録用インクにおけるその他の成分としては、例えば、界面活性剤、粘性調整剤、防腐剤、等がある。
【００５７】
−界面活性剤−
前記界面活性剤としては、特に制限はなく、目的に応じて適宜選択することができ、例えば、両性界面活性剤、アニオン系界面活性剤、カチオン系界面活性剤、ノニオン系界面活性剤、などが挙げられる。これらは、１種単独で使用してもよいし、２種以上を併用してもよい。
前記ｐＨ調整剤としては、特に制限はなく、目的に応じて適宜選択することができ、例えば、水酸化ナトリウム、水酸化カリウム、水酸化リチウム、硫酸ナトリウム、酢酸塩、乳酸塩、安息香酸塩、トリエタノールアミン、アンモニア、２−アミノ−２−メチル−１−プロパノール（ＡＭＰ）、リン酸アンモニウム、リン酸ナトリウム、リン酸リチウム等のアルカリ、酢酸、塩酸、硝酸、硫酸、リン酸、プロピオン酸、ｐ−トルエンスルフォン酸等の有機酸又は無機酸、などが挙げられる。
前記粘性調整剤はインクの粘性が粒子化状態を最適になるようにするためのものであり、その種類や添加量が適正でなければならない。なお、非水系の粘性調整剤として用いられるものとしては使用状態で液体のものでなければならない。
【００５８】
前記防黴剤としては、例えば、酢酸ナトリウム（特開昭５２−１２００８号公報、特開昭５５−６５２６８号公報）、２−ピリジンチオール−１−オキサイドナトリウム塩（ソジウムオマジン）（特開昭５７−１７４３５９号公報）、１，２−ベンズイソチアゾリン−３−オン（特開昭５２−１２００９号公報）、６−アセトキシ−２，４−ジメチル−ｍ−ジオキサン（特開昭５９−２１５３６９号公報）、ソルビン酸ソーダ（特開昭６１−１７９２７５号公報）、イソプロピルメチルフェノール、４−クロル−３，５−ジメチルフェノール（特開昭５４−８１９０２号公報）、安息香酸アルカリ塩、グルコン酸クロルヘキシジン、５−クロロ−２−メチル−４−イソチアゾリン−３−オン、ｐ−オキシ安息香酸エステル類、などが挙げられる。これらは、１種単独で使用してもよいし、２種以上を併用してもよい。
【００５９】
本発明の可逆性熱記録用インクは、インクジェットプリンターのインク供給部やインク流路に充填し、長期間放置した時にも、インク中の成分が析出することがないため、印字ヘッド部へのインク供給が無理なく行え、インク滴が歪まずに吐出できるのでインクの噴射特性が良好である。
【００６０】
また、発色剤である染料や顕色剤の溶解性が高いため、インクジェットプリンターの印字ヘッド部に充填して、６ヶ月以上の長期間放置した場合にもノズルの目詰まりがなく、インクの噴射方向が非常に安定している。
【００６１】
本発明の可逆性熱記録用インクは、各種分野において好適に使用することができ、インクジェット記録方式による画像形成装置（プリンター等）において好適に使用することができ、特に、印字前後に被記録用紙及び前記記録用インクを加熱し、発色させる機能を有するプリンター等に使用することもでき、以下の本発明のインクカートリッジ、インク記録物、画像記録装置、画像記録記録方法に特に好適に使用することができる。
【００６２】
（インクカートリッジ）
本発明のインクカートリッジは、前記本発明の可逆性熱記録用インクを容器中に収容してなり、更に必要に応じて適宜選択したその他の部材等を有してなる。
前記容器としては、特に制限はなく、目的に応じてその経序、構造、大きさ、材質等を適宜選択することができ、例えば、アルミニウムラミネートフィルム、樹脂フィルム等で形成されたインク袋などを少なくとも有するもの、などが好適に挙げられる。
【００６３】
（インク記録物）
前記インク記録物は、顕色剤を付着させた記録媒体上に前記本発明の可逆性熱記録用インクを用いて印字乃至印画された印字画像を有してなる。
前記記録媒体としては、可逆性熱記録用インク中の発色剤と記録媒体上の顕色剤が溶け合って発色し、鮮明な文字や画像を形成できれば特に制限はなく、目的に応じて適宜選択することができ、例えば、普通紙、光沢紙、特殊紙、布、フィルム、ＯＨＰシート、などが挙げられる。これらは、１種単独で使用してもよいし、２種以上を併用してもよい。
前記インク記録物は、高画質で滲みがなく、経時安定性に優れ、各種の印字乃至画像の記録された資料等として各種用途に好適に使用することができる。
【００６４】
本発明のインクカートリッジは、本発明の前記記録用インク（インクセット）を収容し、各種画像記録装置に着脱可能に装着して用いることができ、また、後述する本発明の画像記録装置に着脱可能に装着して用いるのが特に好ましい。
【００６５】
（画像記録方法及び画像記録装置）
本発明の画像記録装置は、インク飛翔手段と、加熱手段とを少なくとも有してなり、更に必要に応じて適宜選択したその他の手段、例えば、刺激発生手段、制御手段等を有してなる。
本発明の画像記録方法は、インク飛翔工程を少なくとも含み、更に必要に応じて適宜選択したその他の工程、例えば、刺激発生工程、制御工程等を含む。
本発明の画像記録方法は、本発明の画像記録装置により好適に実施することができ、前記インク飛翔工程は前記インク飛翔手段により好適に行うことができる。また、前記その他の工程は、前記その他の手段により好適に行うことができる。
【００６６】
−インク飛翔工程及びインク飛翔手段−
前記インク飛翔工程は、前記本発明の記録用インクに、刺激を印加し、該記録用インクを飛翔させて画像を形成する工程である。
前記インク飛翔手段は、前記本発明の可逆性熱記録用インクに、刺激を印加し、該可逆性熱記録用インクを飛翔させて画像を形成する手段である。該インク飛翔手段としては、特に制限はなく、例えば、インク吐出用の各種のノズル、などが挙げられる。
前記刺激は、例えば、前記刺激発生手段により発生させることができ、該刺激としては、特に制限はなく、目的に応じて適宜選択することができ、熱（温度）、圧力、振動、光、などが挙げられる。これらは、１種単独で使用してもよいし、２種以上を併用してもよい。これらの中でも、熱、圧力が好適に挙げられる。
【００６７】
なお、前記刺激発生手段としては、例えば、加熱装置、加圧装置、圧電素子、振動発生装置、超音波発振器、ライト、などが挙げられ、具体的には、例えば、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等、などが挙げられる。
【００６８】
前記可逆性熱記録用インクの飛翔の態様としては、特に制限はなく、前記刺激の種類等応じて異なり、例えば、前記刺激が「熱」の場合、記録ヘッド内の前記可逆性熱記録用インクに対し、記録信号に対応した熱エネルギーを例えばサーマルヘッド等を用いて付与し、該熱エネルギーにより前記可逆性熱記録用インクに気泡を発生させ、該気泡の圧力により、該記録ヘッドのノズル孔から該可逆性熱記録用インクを液滴として吐出噴射させる方法、などが挙げられる。また、前記刺激が「圧力」の場合、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から該可逆性熱記録用インクを液滴として吐出噴射させる方法、などが挙げられる。
【００６９】
前記飛翔させる前記可逆性熱記録用インクの液滴は、その大きさとしては、例えば、３〜４０ｐｌとするのが好ましく、その吐出噴射の速さとしては５〜２０ｍ／ｓとするのが好ましく、その駆動周波数としては１ｋＨｚ以上とするのが好ましく、その解像度としては３００ｄｐｉ以上とするのが好ましい。
【００７０】
前記インクジェットプリンターに用いる印字ヘッドの種類により、ノズル径は広範囲であり、例えば、ノズル径は５０〜数１００μｍに変わり得るが、この範囲のノズル径を用いる場合、ノズルの目詰まりを引き起こさない。
【００７１】
−加熱工程及び加熱手段−
前記加熱工程は、記録後の画像表面を加熱して画像を発色乃至は消色させる工程である。前記加熱手段としては、例えば、加熱ローラー、赤外線ランプ、ホットプレート、温風器等が用いられ、インク中の染料の融点以上に加熱することが可能であり、加熱速度が速いものが好ましい。
【００７２】
前記制御手段としては、前記各手段の動きを制御することができる限り特に制限はなく、目的に応じて適宜選択することができ、例えば、シークエンサー、コンピュータ等の機器が挙げられる。
【００７３】
ここで、画像記録装置を用いた画像記録方法における発色と消色状態について、図面を参照して説明する。
図１は、インクジェット用印字ヘッド１０による普通紙１への印字状態を示し、印字後の文字や画像は無色であり判読ができない。次に、図２は、印字後の加熱ローラー５の加熱による発色状態を示し、発色剤又は顕色剤の融点以上に印字面を加熱ローラー５で加熱することによって文字や画像が発色して可視化する。次に、図３は、発色後の加熱ローラー５の加熱による消色状態を示しており、発色剤又は顕色剤の融点より低温度に加熱ローラー５で再加熱することによって文字や画像の発色した色が消え、無色の状態に戻る。次に、図４は、印字後の赤外線ランプの照射による消色状態を示し、発色剤又は顕色剤の融点以上に印字面を赤外線ランプ７で照射して加熱することによって文字や画像が発色して可視化する。そして、発色後に赤外線ランプの照射による再加熱により、発色剤又は顕色剤の融点より低温度にすると、文字や画像の色が消え、無色の状態に戻る。
【００７４】
図１〜図４に示すように、消色状態で記録を行うことによって判読を不可能にし、必要な時のみ発色させて判読することができ、機密を重んじる文書・画像の無色化が可能であり、文書・画像の発信者と受信者のみが文書・画像を再発色させて見ることができ、機密文書の作成、保管に極めて有用である。
【実施例】
【００７５】
以下、本発明の実施例について説明するが、本発明はこれら実施例に何ら限定されるものではない。
【００７６】
（実施例１）
−可逆性熱記録用インク及びインク記録物の作製−
下記構造式で表される発色剤３．０質量％、下記構造式（Ａ）で表される分散剤２．０質量％、エチレングリコール１３．０質量％、及びイオン交換水８２．０質量％を混合して、可逆性熱記録用インクを調製した。
【００７７】
【化６９】
2005263890.tif 000059
【００７８】
【化７０】
2005263890.tif 000060
【００７９】
得られた可逆性熱記録用インクをインクカートリッジに充填し、該インクカートリッジをインクジェットプリンター（試作機）に装着した。
一方、下記構造式で表される顕色剤１０質量％、ポリビニルアルコール（ＰＶＡ）２５質量％、及び水６５質量％を含有する顕色剤塗布液を記録紙の印字面側に塗布し、乾燥させて顕色剤を付着した記録紙を作製した。
【００８０】
【化７１】
2005263890.tif 000061
【００８１】
次に、前記顕色剤を付着させた記録紙に前記可逆性熱記録用インクを装填したインクジェットプリンターを用いてテスト印字を行った。なお、このときには記録紙の印字面は無色であった。
印字後の記録紙を加熱ローラーで２００℃に加熱することによって印字した部分が発色した。発色した画像は再度、加熱ローラーで１３０℃に加熱することによって消色した。
【００８２】
（実施例２）
−可逆性熱記録用インク及びインク記録物の作製−
下記構造式で表される発色剤３．０質量％、下記構造式（Ｂ）で表される分散剤２．０質量％、ジエチレングリコール１３．５質量％、及びイオン交換水８１．５質量％を混合して、可逆性熱記録用インクを調製した。
【００８３】
【化７２】
2005263890.tif 000062
【００８４】
【化７３】
2005263890.tif 000063
【００８５】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【００８６】
（実施例３）
−可逆性熱記録用インク及びインク記録物の作製−
下記構造式で表される発色剤３．０質量％、下記構造式（Ｃ）で表される分散剤１．５質量％、トリエチレングリコール１３．０質量％、及びイオン交換水８２．５質量％を混合して、可逆性熱記録用インクを調製した。
【００８７】
【化７４】
2005263890.tif 000064
【００８８】
【化７５】
2005263890.tif 000065
【００８９】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【００９０】
（実施例４）
−可逆性熱記録用インク及びインク記録物の作製−
下記構造式で表される発色剤３．０質量％、下記構造式（Ｄ）で表される分散剤２．０質量％、テトラエチレングリコール１３．５質量％、及びイオン交換水８１．５質量％を混合して、可逆性熱記録用インクを調製した。
【００９１】
【化７６】
2005263890.tif 000066
【００９２】
【化７７】
2005263890.tif 000067
【００９３】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【００９４】
（実施例５）
−可逆性熱記録用インク及びインク記録物の作製−
下記構造式で表される発色剤３．０質量％、下記構造式（Ｅ）で表される分散剤２．５質量％、エチレングリコール１４．０質量％、及びイオン交換水８０．５質量％を混合して、可逆性熱記録用インクを調製した。
【００９５】
【化７８】
2005263890.tif 000068
【００９６】
【化７９】
2005263890.tif 000069
【００９７】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【００９８】
（実施例６）
−可逆性熱記録用インク及びインク記録物の作製−
下記構造式で表される発色剤３．５質量％、下記構造式（Ｆ）で表される分散剤２．０質量％、ジエチレングリコール１３．５質量％、及びイオン交換水８１．０質量％を混合して、可逆性熱記録用インクを調製した。
【００９９】
【化８０】
2005263890.tif 000070
【０１００】
【化８１】
2005263890.tif 000071
【０１０１】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【０１０２】
（実施例７）
−可逆性熱記録用インク及びインク記録物の作製−
下記構造式で表される発色剤３．０質量％、下記構造式（Ｇ）で表される分散剤２．５質量％、トリエチレングリコール１３．５質量％、及びイオン交換水８１．０質量％を混合して、可逆性熱記録用インクを調製した。
【０１０３】
【化８２】
2005263890.tif 000072
【０１０４】
【化８３】
2005263890.tif 000073
【０１０５】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【０１０６】
（実施例８）
−可逆性熱記録用インク及びインク記録物の作製−
下記構造式で表される発色剤３．５質量％、下記構造式（Ｈ）で表される分散剤２．０質量％、テトラエチレングリコール１３．５質量％、及びイオン交換水８１．０質量％を混合して、可逆性熱記録用インクを調製した。
【０１０７】
【化８４】
2005263890.tif 000074
【０１０８】
【化８５】
2005263890.tif 000075
【０１０９】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【０１１０】
（実施例９）
−可逆性熱記録用インク及びインク記録物の作製−
下記構造式で表される発色剤３．０質量％、下記構造式（Ｉ）で表される分散剤２．０質量％、ジエチレングリコール１３．０質量％、及びイオン交換水８２．０質量％を混合して、可逆性熱記録用インクを調製した。
【０１１１】
【化８６】
2005263890.tif 000076
【０１１２】
【化８７】
2005263890.tif 000077
【０１１３】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【０１１４】
（実施例１０）
−可逆性熱記録用インク及びインク記録物の作製−
下記構造式で表される発色剤３．０質量％、下記構造式（Ｊ）で表される分散剤２．０質量％、トリエチレングリコール１３．５質量％、及びイオン交換水８１．５質量％を混合して、可逆性熱記録用インクを調製した。
【０１１５】
【化８８】
2005263890.tif 000078
【０１１６】
【化８９】
2005263890.tif 000079
【０１１７】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【０１１８】
（実施例１１）
−可逆性熱記録用インク及びインク記録物の作製−
下記構造式で表される発色剤３．０質量％、下記構造式（Ｋ）で表される分散剤３．０質量％、エチレングリコール１３．０質量％、及びイオン交換水８１．０質量％を混合して、可逆性熱記録用インクを調製した。
【０１１９】
【化９０】
2005263890.tif 000080
【０１２０】
【化９１】
2005263890.tif 000081
【０１２１】
得られた可逆性熱記録用インクを用いて、実施例１と同様にして顕色剤を付着した記録紙に印字した。このときには印字面は無色である。
印字後の記録紙を加熱ローラーで２００℃に加熱することによって印字した部分が発色した。発色した画像は再度、加熱ローラーで１３０℃に加熱することによって消色した。
【産業上の利用可能性】
【０１２２】
本発明の可逆性熱記録用インク及びこれを用いたインク記録物は、消色状態で記録を行うことによって判読を不可能にし、必要な時のみ発色させて判読することができ、機密を重んじる文書・画像の無色化が可能であり、文書・画像の発信者と受信者のみが文書・画像を再発色させて見ることができるので、機密文書の作成・保管に極めて有用である。
【図面の簡単な説明】
【０１２３】
【図１】図１は、インクジェットによる普通紙への印字状態を示す説明図である。
【図２】図２は、印字後の加熱ローラーの加熱による発色状態を示す説明図である。
【図３】図３は、発色後の加熱ローラーの加熱による消色状態を示す説明図である。
【図４】図４は、印字後の赤外線ランプの照射による消色状態を示す説明図である。
【符号の説明】
【０１２４】
１      記録紙
５      加熱ローラー
７      赤外線ランプ
１０      印字ヘッド
【図１】
2005263890.tif 000093
【図２】
2005263890.tif 000094
【図３】
2005263890.tif 000095
【図４】
2005263890.tif 000096